(57)【要約】【課題】    使い捨て作業着の使い捨て作業着をフリーサイズとして、着衣する者の寸法の違いに対応する。【解決手段】    本願の考案は、使い捨ての作業着について、次の構成を採るものを提供する。  即ち、少なくとも、股上部１１の左右へ、別体に形成されたゴム等の伸縮性部材３，３が、縫製によって取り付けられている。伸縮性部材３は、紐状又は帯状に形成されたものであり、体側に沿って上下に伸びるよう取り付けられる。伸縮性部材３は、伸ばされた状態にして生地に縫い付けられることにより、生地を縮んだ状態とし、着衣時、下半身が収容されることにより、股上部の生地が伸長する。【選択図】          図１
0003133868.tif 000002
【実用新案登録請求の範囲】
【請求項１】
使い捨ての作業着において、
肢体を挿入する、生地を筒状にした筒状部を備え、
ゴム等の伸縮性部材が、縫製により、筒状部の生地に取り付けられ、
伸縮性部材は、紐状又は帯状に形成されたものであり、伸ばした状態にて生地に縫い付けられ、伸縮性部材が縮むことにより、筒状部の生地は、たぐり寄せられた状態となっており、
上記の伸縮性部材は、筒状部の軸方向に沿って、取り付けられており、
着衣することにより、生地の丈を最大限とし、たぐり寄せられていた筒状部の生地が肢体のサイズに合わせて伸ばされるものであることを特徴とする使い捨て作業着。
【請求項２】
生地は、不織布にて形成され、
伸縮性部材は、筒状部の内周面に取り付けられたものであり、
筒状部の外周面の、伸縮性部材が設けられた部位と対応する位置に、合成樹脂製のテープが貼られ、
このテープは、伸縮性部材に沿って設けられ、たぐり寄せられる生地と共に変形する柔軟なものであることを特徴とする請求項１記載の使い捨て作業着。
【請求項３】
上記の筒状部は、腕を収容する筒状の袖部であり、
この作業着は、胴体を収容する筒状の胴部と、胴部の左右に延設された当該袖部とを備えた上衣であり、
上記の伸縮性部材は、胴部の襟ぐりと袖部の袖口と間の、少なくとも一部に配設されたものであることを特徴とする請求項２記載の使い捨て作業着。
【請求項４】
上記の筒状部は、下腹部及び臀部を収容する股上部であり、
この作業着は、当該股上部と、股上部の下方に延設された足を収容する筒状の左右脚部とを備えたズボンであり、
上記の伸縮性部材は、股上部の左右２箇所へ、体側に沿って上下に配置されたものであることを特徴とする請求項２記載の使い捨て作業着。
て作業着。
【請求項５】
上記の筒状部は、下腹部及び臀部を収容する股上部であり、
この作業着は、ズボン部と、ズボン部から上方へ延設された上衣部とを備えたつなぎ服であり、
スボン部は、上記の股上部と、股上部の下方に延設された足を収容する筒状の左右脚部とを備え、
上記の伸縮性部材は、股上部の左右２箇所へ、体側に沿って上下に配置されたものであることを特徴とする請求項２記載の使い捨て作業着。
【請求項６】
上衣部は、胴体を収容する筒状の胴部と、胴部の左右に延設された袖部とを備え、胴部は、股上部から上方に延設されたものであり、
上記の伸縮性部材は、股上部の左右を含む、胴部から脚部にかけて設けられ、
別途の伸縮性部材が、腰回りに沿って、胴部の周方向に設けられたものであり、
袖部において、少なくとも、基端の腋下位置から袖口の掌側にかけてを、伸縮性部材が設けられていない、非伸縮領域とするものであることを特徴とする請求項５記載の使い捨て作業着。
【考案の詳細な説明】
【技術分野】
【０００１】
本願の考案は、使い捨て作業着の改良に関する。
【背景技術】
【０００２】
【特許文献１】実用新案登録第３１２３６２８号公報
【０００３】
近年、塗装作業や防塵を要する作業の際に、特許文献１に示すような、使い捨ての作業着が用いられる。この作業着は、不織布でできたものである。
使い捨ての作業着については、通常身につける衣服のように、各種のサイズを揃えるのは、コスト面で好まれず、１種の作業着で、多くの者に対応したいという要求がある。
【０００４】
しかし、１種の作業着で、全ての作業者に対応しようとするのは困難であり、例えば、無理やり１種の作業着で済ませることができたとしても、着心地や作業性の面で好ましくない。
例えば、背丈の高い大柄な者にとっては窮屈な着心地を我慢しなくてはならないし、小柄な者にとっては、だぶついて作業性が低下する。
特に、移動する際、足を動かす起点となる腰及びその付近を収容する股上部が窮屈では体の動きが大きく拘束される。逆に、股上部がだぶつけば、ズボンがずり落ちる危惧がある。使い捨て作業着において、ベルトを通すことはできない（製造コスト抑制の面や、薄く軽量な不織布がベルトを十分支えきれない点から、使い捨て作業着は、ベルト通しを備えない）。このように、サイズが小さい場合も、サイズが大きい場合も、作業性を低下させるものとなる。
【考案の開示】
【考案が解決しようとする課題】
【０００５】
そこで、本願考案は、着衣する者の寸法の違いに対応し、幅広く対応できる使い捨て作業着を提供し、上記の課題の解決を図る。
【課題を解決するための手段】
【０００６】
本願第１の考案は、使い捨ての作業着について、次の構成を採るものを提供する。
即ち、この作業着は、肢体を挿入する、生地を筒状にした筒状部を備える。そして、ゴム等の伸縮性部材が、縫製により、筒状部の生地に取り付けられている。この伸縮性部材は、紐状又は帯状に形成されたものであり、伸ばした状態にて生地に縫い付けられ、伸縮性部材が縮むことにより、筒状部の生地は、たぐり寄せられた状態となっている。上記の伸縮性部材は、筒状部の軸方向に沿って、取り付けられており、着衣することにより、生地の丈を最大限とし、たぐり寄せられていた筒状部の生地が肢体のサイズに合わせて伸ばされる。
尚、ここでいう「挿入」とは、肢体を挿入する「動作」ではなくて、肢体が挿入されている「状態」を指すものである。具体的には、筒状部が腰を包むものである場合、筒状部を前開きとしファスナ等で筒状に閉じられるのが一般的であり、そうすると、腰の収容時は、ファスナが開かれて筒状部は筒状になってないとが考えられる。しかし、ここでは、腰を収容した後、ファスナを閉じた状態において、筒状になっていれば、筒状部へ挿入することに該当するとする。
【０００７】
本願第２の考案では、本願第１の考案にあって、次の構成を採る使い捨て作業着を提供する。
即ち、生地は、不織布にて形成されている。伸縮性部材は、筒状部の内周面に取り付けられたものである。筒状部の外周面の、伸縮性部材が設けられた部位と対応する位置に、合成樹脂製のテープ６が貼られ、このテープ６は、伸縮性部材に沿って設けられ、たぐり寄せられる生地と共に変形する柔軟なものである。
【０００８】
本願第３の考案では、上記本願第２の考案にあって、次の構成を採る使い捨て作業着を提供する。
即ち、上記の筒状部は、腕を収容する筒状の袖部２２である。この作業着は、胴体を収容する筒状の胴部２１と、胴部２１の左右に延設された当該袖部２２，２２とを備えた上衣２００である。上記の伸縮性部材は、胴部２１の襟ぐり２３と袖部２２の袖口２４と間の、少なくとも一部に配設されたものである。
【０００９】
本願第４の考案では、上記本願第２の考案にあって、次の構成を採る使い捨て作業着を提供する。
即ち、上記の筒状部は、下腹部及び臀部を収容する股上部１１である。この作業着は、当該股上部と、股上部の下方に延設された足を収容する筒状の左右脚部とを備えたズボン１００である。上記の伸縮性部材は、股上部の左右２箇所へ、体側に沿って上下に配置されたものである。
【００１０】
本願第５の考案では、上記本願第２の考案にあって、次の構成を採る使い捨て作業着を提供する。
即ち、上記の筒状部は、下腹部及び臀部を収容する股上部１１である。この作業着は、ズボン部１と、ズボン部１から上方へ延設された上衣部２とを備えたつなぎ服である。スボン部１は、上記の股上部１１と、股上部１１の下方に延設された足を収容する筒状の左右脚部１２，１２とを備える。上記の伸縮性部材は、股上部の左右２箇所へ、体側に沿って上下に配置されたものである。
【００１１】
本願第６の考案では、上記本願第５の考案にあって、次の構成を採る使い捨て作業着を提供する。
即ち、上衣部１は、胴体を収容する筒状の胴部２１と、胴部２１の左右に延設された袖部２２，２２とを備える。胴部２１は、股上部１１から上方に延設されたものである。上記の伸縮性部材は、股上部の左右を含む、胴部２１から脚部２２，２２にかけて設けられている。別途の伸縮性部材が、腰回りに沿って、胴部２１の周方向に設けられている。袖部２２において、少なくとも、基端の腋下位置から袖口の掌側にかけてを、伸縮性部材が設けられていない、非伸縮領域５とする。
【考案の効果】
【００１２】
本願第１〜６の考案は、伸縮性部材にてたぐり寄せられた状態となっている筒状部の生地が、着衣することにより、肢体のサイズに合わせて伸ばされる。このため、大きめのサイズに形成しておけば、大柄な者が着ても窮屈にならず、小柄な者が着ても、だぶつかず、ぴたりと体に合った状態とすることができる。即ち、作業者の多くに広範に対応する、動きやすいフリーサイズの使い捨て作業着を提供することができた。
【００１３】
本願第２の考案では、不織布でできた生地の、伸縮性部材の伸縮にて傷み易くなっている部位を、合成樹脂製のテープにて保護することにより、使い捨て作業着の寿命を延ばした。
【００１４】
特に、本願第３の考案では、上衣として形成された作業着について、着衣した際、袖部の長さを着る者の腕の長さに合わせて、伸長することができる。
また、本願第４の考案では、ズボンとして形成された作業着について、着衣した際、股上部の長さ（上下幅）を、着る者の胴体の長さに合わせて、伸長することができる。
特にまた、本願第５の考案では、上衣とズボンとが一体となったつなぎ服について、着衣した際、股上部の長さ（上下幅）を、着る者の胴の長さに合わせて、伸長することができる。
【００１５】
本願第６の考案では、つなぎ服について、着衣した際、股上部の長さ（上下幅）を、着る者の胴体の長さに合わせて、より広範囲に伸長することができる。
また、着る者の胴体の太さに合わせて、腰周りを拡大することができる。これにて、１種の作業着で、より多くの者に対応することができる。特に、袖部において、基端の腋下位置から袖口の掌側にかけてを、伸縮性部材を排除した非伸縮領域とすることによって、上記体側に形成された伸縮性部材やその付近の生地に、他の伸縮性部材やその付近の生地が当接することがなく、収納時や着衣時、伸縮性部材やたぐり寄せられて起伏が多くなった生地同士が擦れあって、生地を傷める心配がない。このため、不織布である生地が長持ちし、使い捨て作業着の寿命を向上した。
【００１６】
本願第４の考案にあっては、
【考案を実施するための最良の形態】
【００１７】
以下、図面に基づき本願考案の実施の形態について説明する。
図１及び図２を用いて、本願考案の一実施の形態を説明する。図１は、つなぎ服として形成した本願考案の一実施の形態に係る使い捨て作業着の正面図である。図２は、図１に示す作業着の背面図である。図３は、生地と伸縮性部材と合成樹脂製のテープとの位置関係を示す要部略断面図である。
【００１８】
図１及び図２へ示す通り、この使い捨て作業着は、全体が不織布にて形成されたものであり、ズボン部１と、ズボン部１から上方に延設された上衣部２とを備えるものであり、当該ズボン部１と上衣部２とが一体に形成されたつなぎ服（鉛管服）である。
以下、より具体的に説明する。
【００１９】
ズボン部１は、下腹部及び臀部を収容する袋状の股上部１１と、股上部１１の下方に延設された足を収容する筒状の左右脚部１２，１２とを備える。
上衣部２は、胴体を収容する筒状の胴部２１と、胴部２１の左右に延設され且つ腕を収容する筒状の袖部２２，２２とを備える。股上部１１より上方に股上部１１と一体に当該胴部２１が延設されている（言い換えると、上記の股上部１１は、胴部２１の下部に延設されたものである）。
この実施の形態において、作業着は、前開きとなっており、正面において、胴部２１の上端の襟ぐり２３から股上部１１にかけてファスナ２５が設けられている。胴部２１上端の襟ぐり２３から上方に頭部を覆うフード部２６が延設されている。
【００２０】
上記のズボン部１について、股上部１１の左右２箇所へ、別体に形成された伸縮性部材３，３（必要に応じて第１伸縮部材３，３と呼ぶ。）が、縫製によって取り付けられている。但し、２箇所に限定するものではなく、股上部１１の３箇所以上に、伸縮性部材３を取り付けてもよい。
伸縮性部材３，３は、不織布である生地と別体に形成されたゴムやゴムが編みこまれた布を紐状に形成したものである。
伸縮性部材３は、体側に沿って上下に配置されている。伸縮性部材３は、伸ばされた状態にして生地に縫い付けられることにより、生地をたぐり寄せた状態とし、着衣時、下半身を収容することにより、股上部１１の生地が伸ばされる。伸縮性部材３，３は、作業着の生地の裏側に取り付けられている。
【００２１】
この実施の形態において、伸縮性部材３，３は、体側に沿って、股上部１１から胴部２１にかけて延設されている。具体的には、伸縮性部材３の上端３ａは、胴部２１の腋下部分に位置する。一方、伸縮性部材３の下端３ｂは、脚部１２の太ももを収容する部位に達する。
尚、伸縮性部材３の上下の幅は、このような範囲に限定するものではなく、例えば伸縮性部材３の下端３ｂを、体側に沿って、脚部１２の下端（先端）まで延ばすものとしても実施できる。
また、伸縮性部材３の下端は、股上部１１より脚部１２側に出ないものとしても実施できる。更にまた、伸縮性部材３の上端も、股上部１１より胴部２１側に出ないものとしても実施できる。但し、股上部１１のみならず、上記の胴部２１や脚部１２，１２まで、伸縮性部材３を設けることによって、より広範に着衣者の体型やサイズの異なりに対応することができる。
【００２２】
一方、袖部２２において、少なくとも、基端の腋下位置から袖口２４の掌側にかけてを、伸縮性部材が設けられていない、非伸縮領域５とする。
この位置は、着衣時に腕を下ろした際、袖部において、胴部の体側と対面する部位であり、着衣の際も、また収納時に作業着を畳む際も、上記伸縮性部材３，３が設けられてたぐり寄せられ起伏が多くなった生地と当接する位置である。このため、この位置にも伸縮性部材を設けて生地の起伏を多くしてしまうと、胴部２１や股上部１１の生地の起伏と袖部２２，２２の生地の起伏とが擦れて、双方の生地が傷み易くなるので、当該位置を、上記の通り非伸縮領域５とするのが望ましい。
【００２３】
また、この実施の形態において、胴部２１の腰回りに沿っても、更に別の伸縮性部材４（必要に応じて第２伸縮性部材４と呼ぶ。）が設けられている。この第２伸縮性部材４も上記の第１伸縮性部材３と同様の素材にて形成すればよい。
前述の通り、第１伸縮性部材３は、生地の裏側に設けられたものであり、第２伸縮性部材４も作業着の生地の裏側に設けられている。
【００２４】
図３へ示す通り、第１伸縮性部材３が設けられた生地１０の表面側１０ａに、伸縮性部材３に沿って、プラスチックでできたテープ６が周知の接着剤にて接着されている（この他、圧着や熱融着によるものとしてもよい）。このテープ６は、ナイロンやポリエステル製の柔軟なテープを採用するのが望ましい。このテープ６は、第１伸縮性部材３に対応する位置のみならず、第２伸縮性部材４に対応する位置にも設けておくのが望ましい。
【００２５】
次に他の実施の形態について説明する。
図４に示す通り、この作業着は、不織布にて形成された、ズボン１００である。
このズボン１００の股上部１１の左右に、上記第１伸縮性部材３が設けられている。尚、この作業着は、前述のつなぎ服のように上衣部がないので、第１伸縮性部材３，３の上端は、股上部１１の上端とほぼ一致する。この図３に示す実施の形態においても、特に言及しない点（上衣部を備えない以外点）については、図１及び図２に示す実施の形態と同様である。
【００２６】
図５へ更に他の実施の形態を示す。
この作業着は、全体が不織布にて形成された、上衣２００である。
この上衣２００の、襟ぐり２３から袖口２４（の手の甲側）にかけて、伸縮性部材３，３（第１伸縮性部材３，３）が、設けられている。伸縮性部材３，３は、図１〜図４へ示す実施の形態の伸縮性部材３と、同様の素材にて形成され、同様の取り付け方法にて生地に取り付けられている。即ち、この実施の形態においても、ゴム紐の伸縮性部材３，３は、伸ばした状態にして、縫製により生地に取り付けられており、着衣時、通される腕に押され、袖部２２の生地が伸長する。この場合も、他の伸縮性部部材と同様、プラスチック製のテープ６を生地に貼って補強するのが好ましい。
また、図５に示す実施の形態において、伸縮性部材３は、襟ぐり２３と袖口２４（の手の甲側）間の全域に設けてもよいが、この他、襟ぐり２３と袖口２４間の一部の位置に設けて実施することもできる。
【００２７】
上記図１〜図５に示す、各実施の形態において、既述の通り、外部から目立たず、作業着の外観を損なわないので、伸縮性部材の夫々を生地の裏面に設ける、具体的には、第１伸縮性部材３は、股上部１１及び胴部２１（更に脚部１２，１２）の内周面に取り付け、第２伸縮性部材４も股上部１１の内周面に取り付け、第３伸縮性部材７は、筒状の袖部２２の内周面に取り付けるのが好ましいが、生地表面に伸縮性部材を取り付けるものとしてもよい。
【００２８】
また、上記の各実施の形態において、伸縮性部材の夫々は、連続して設けられた１本の紐状或いは帯状に形成されたものとしたが、例えば、図１に示す、第１伸縮性部材３，３の、上端３ａ位置から下端３ｂ位置の間へ、当該１本の伸縮性部材３に代えて、複数の伸縮性部材を配列することもできる（股上部１１の左右を含めた、腋下から太ももに至るまでの間へ、複数の伸縮性部材３を配列するものとしても実施できる）。第２伸縮性部材４や、図４及び図５に示す実施の形態においても、同様である。
また、図１〜図５に示す各実施の形態において、伸縮性部材３，４は、複数本を並行に配列して、各筒状部の軸方向或いは周方向に沿って伸びるものとしても実施できる。
尚、図５において、作業着は、前開きのものを例示したが、前開きでなく、胴部の下端開口部から被るものとしても実施できる。また、図１及び図５の各実施の形態において、作業着は、フード部を備えないもの、或いは別体に形成されたフード部を着脱自在に取り付けるものとしても実施できる。
【図面の簡単な説明】
【００２９】
【図１】本願考案の一実施の形態に係る使い捨て作業着の正面図である。
【図２】図１に示す作業着の背面図である。
【図３】図１に示す作業着の要部略断面図である。
【図４】他の実施の形態を示す作業着（ズボン）の正面図である。
【図５】他の実施の形態を示す上衣の正面図である。
【符号の説明】
【００３０】
１    ズボン部
２    上衣部
３    伸縮性部材
１１    股上部
１２    脚部
【図１】
0003133868.tif 000003
【図２】
0003133868.tif 000004
【図３】
0003133868.tif 000005
【図４】
0003133868.tif 000006
【図５】
0003133868.tif 000007